(57)【要約】【課題】電源が遮断された状態から文字の入力を迅速に行うことができる携帯電子機器を提供することができる。【解決手段】一時記憶部２６は、発電部２４により発電され、蓄電部２５に蓄積された電力で駆動し、操作部１１の各キーの押下に基づく文字データを一時的に記憶する。電源制御部４９１は、タイマ２７により計測された所定時間内に一時記憶部２６に所定量以上の文字データが記憶された場合、電源を投入する。そして、第１表示制御部４９２は、電源制御部４９１により電源が投入されると、一時記憶部２６に記憶されている文字データに基づいて、第１表示部２１に文字を表示させる。【選択図】図２
2011211258.tif 000002
【特許請求の範囲】
【請求項１】
複数のキーを有する操作部と、
文字を表示する第１表示部と、
電源が遮断された状態において、前記キーの押下に応じて発電する発電部と、
前記発電部により発電された電力で駆動し、前記キーの押下に基づく文字データを一時的に記憶する一時記憶部と、
前記一時記憶部に所定量以上の文字データが記憶された場合、電源を投入する電源制御部と、
前記電源制御部により電源が投入されると、前記一時記憶部に記憶されている前記文字データに基づいて、前記第１表示部に文字を表示させる第１表示制御部とを備える携帯電子機器。
【請求項２】
前記電源が遮断された状態において、前記キーの押下を契機として時間を計測する時間計測部を更に備え、
前記電源制御部は、前記時間計測部により計測された所定時間内に所定回数以上の前記キーの押下が行われ、かつ、前記一時記憶部に所定量以上の文字データが記憶された場合、電源を投入する請求項１に記載の携帯電子機器。
【請求項３】
前記第１表示制御部は、前記電源制御部により電源が投入されると、文字入力に関する第１プログラムを起動して、前記第１表示部に文字を表示させる請求項１に記載の携帯電子機器。
【請求項４】
前記発電部により発電された電力で駆動する第２表示部と、
電源が遮断された状態において、前記一時記憶部に記憶されている前記文字データに基づいて、前記第２表示部に文字を表示させる第２表示制御部とを更に備える請求項３に記載の携帯電子機器。
【請求項５】
前記第２表示制御部は、前記電源制御部により電源が投入されると、前記第２表示部における文字を表示する処理を停止する請求項４に記載の携帯電子機器。
【請求項６】
前記第１表示制御部により前記第１表示部に表示された文字に対応する機能が選択された場合、選択された機能を、第２プログラムを起動して実行する主制御部を更に備える請求項３から５のいずれか一項に記載の携帯電子機器。
【請求項７】
前記第１プログラム及び前記第２プログラムは、オペレーティングシステムであり、
前記第１プログラムは、前記２プログラムに含まれると共に、前記第２プログラムにおける通信機能が制限されている請求項６に記載の携帯電子機器。
【請求項８】
前記発電部は、前記キーの押下に基づく誘導起電力を用いて電力を発生させる請求項１から７のいずれか一項に記載の携帯電子機器。
【発明の詳細な説明】
【技術分野】
【０００１】
本発明は、操作部を有する携帯電子機器に関する。
【背景技術】
【０００２】
従来より、携帯電話機等の携帯電子機器は、電源と、操作部とを備え、電源が遮断された状態において、操作部の電源キーを押下すると、電源が投入される。このような携帯電子機器において、電源が遮断された状態から、簡易な操作で電源を投入して、発呼を行う技術が提案されている（例えば、特許文献１参照）。
【先行技術文献】
【特許文献】
【０００３】
【特許文献１】特開平８−２７４７０５号公報
【発明の概要】
【発明が解決しようとする課題】
【０００４】
ところで、電源が遮断された状態から文字を入力する場合には、携帯電子機器は、先ず、電源キーの押下により電源を投入した後に、操作部に対して所定の操作を行い、文字入力に関するアプリケーションを起動する。そして、携帯電子機器は、アプリケーションを起動した状態において、操作部に対して文字入力に関する操作が行われることで、アプリケーションの制御により表示部に操作に応じた文字を表示させる。
【０００５】
このように電源が遮断された状態から文字を入力する場合には、多くの操作が必要となり、電源が遮断された状態から迅速に文字を入力することは困難であった。
【０００６】
本発明は、電源が遮断された状態から文字の入力を迅速に行うことができる携帯電子機器を提供することを目的とする。
【課題を解決するための手段】
【０００７】
本発明に係る携帯電子機器は、上記課題を解決するために、複数のキーを有する操作部と、文字を表示する第１表示部と、電源が遮断された状態において、前記キーの押下に応じて発電する発電部と、前記発電部により発電された電力で駆動し、前記キーの押下に基づく文字データを一時的に記憶する一時記憶部と、前記一時記憶部に所定量以上の文字データが記憶された場合、電源を投入する電源制御部と、前記電源制御部により電源が投入されると、前記一時記憶部に記憶されている前記文字データに基づいて、前記第１表示部に文字を表示させる第１表示制御部とを備えることを特徴とする。
【０００８】
また、前記携帯電子機器は、前記電源が遮断された状態において、前記キーの押下を契機として時間を計測する時間計測部を更に備え、前記電源制御部は、前記時間計測部により計測された所定時間内に所定回数以上の前記キーの押下が行われ、かつ、前記一時記憶部に所定量以上の文字データが記憶された場合、電源を投入することが好ましい。
【０００９】
また、前記第１表示制御部は、前記電源制御部により電源が投入されると、文字入力に関する第１プログラムを起動して、前記第１表示部に文字を表示させることが好ましい。
【００１０】
また、前記携帯電子機器は、前記発電部により発電された電力で駆動する第２表示部と、電源が遮断された状態において、前記一時記憶部に記憶されている前記文字データに基づいて、前記第２表示部に文字を表示させる第２表示制御部とを更に備えることが好ましい。
【００１１】
また、前記第２表示制御部は、前記電源制御部により電源が投入されると、前記第２表示部における文字を表示する処理を停止することが好ましい。
【００１２】
また、前記携帯電子機器は、前記第１表示制御部により前記第１表示部に表示された文字に対応する機能が選択された場合、選択された機能を、第２プログラムを起動して実行する主制御部を更に備えることが好ましい。
【００１３】
また、前記第１プログラム及び前記第２プログラムは、オペレーティングシステムであり、前記第１プログラムは、前記２プログラムに含まれると共に、前記第２プログラムにおける通信機能が制限されていることが好ましい。
【００１４】
また、前記発電部は、前記キーの押下に基づく誘導起電力を用いて電力を発生させることが好ましい。
【発明の効果】
【００１５】
本発明によれば、電源が遮断された状態から文字の入力を迅速に行うことができる携帯電子機器を提供することができる。
【図面の簡単な説明】
【００１６】
【図１】本発明に係る携帯電子機器の一実施形態である携帯電話機１の外観斜視図である。
【図２】本実施形態の携帯電話機１の機能を示す機能ブロック図である。
【図３】第１表示部２１に表示されるデータの遷移を示す図である。
【図４】第１表示部２１及び第２表示部２２に表示されるデータの遷移を示す図である。
【図５】本実施形態における電源が遮断された状態からの文字の入力処理について示すフローチャートである。
【発明を実施するための形態】
【００１７】
以下、本発明の一実施形態について説明する。図１は、本発明に係る携帯電子機器の一実施形態である携帯電話機１の外観斜視図を示す。なお、図１は、いわゆる折り畳み型の携帯電話機の形態を示しているが、本発明に係る携帯電話機の形態としては特にこれに限られない。例えば、両筐体を重ね合わせた状態から一方の筐体を一方向にスライドさせるようにしたスライド式や、重ね合せ方向に沿う軸線を中心に一方の筐体を回転させるようにした回転式（ターンタイプ）や、操作部と表示部とが一つの筐体に配置され、連結部を有さない形式（ストレートタイプ）でもよい。
【００１８】
携帯電話機１は、操作部側筐体２と、表示部側筐体３とを備える。操作部側筐体２は、表面部に、入力部としての操作部１１と、携帯電話機１の使用者が通話時に発した音声が入力されるマイク１２とを備える。操作部１１は、各種設定や電話帳機能やメール機能等の各種機能を作動させるための機能設定操作キー１３と、電話番号の数字やメール等の文字等を入力するための入力操作キー１４と、各種操作における決定やスクロール等を行う決定操作キー１５とから構成されている。なお、機能設定操作キー１３、入力操作キー１４及び決定操作キー１５は、第１表示部２１と一体に形成されたタッチパネル上に配置するように構成してもよい。操作部１１は、これらの機能設定操作キー１３、入力操作キー１４及び決定操作キー１５により文字又は文字列を入力する。
【００１９】
また、表示部側筐体３は、表面部に、各種情報を表示するための第１表示部２１及び第２表示部２２と、通話の相手側の音声を出力するスピーカ２３とを備える。
【００２０】
また、操作部側筐体２の上端部と表示部側筐体３の下端部とは、ヒンジ機構４を介して連結されている。また、携帯電話機１は、ヒンジ機構４を介して連結された操作部側筐体２と表示部側筐体３とを相対的に回転することにより、操作部側筐体２と表示部側筐体３とが互いに開いた状態（開状態）にしたり、操作部側筐体２と表示部側筐体３とを折り畳んだ状態（閉状態）にしたりできる。
【００２１】
図２は、本実施形態の携帯電話機１の機能を示す機能ブロック図である。本実施形態の携帯電話機１は、図２に示すように、操作部１１と、マイク１２と、第１表示部２１と、第２表示部２２と、スピーカ２３と、通信部４２と、表示処理部４３と、記憶部４４と、制御部４９とを備える。
【００２２】
通信部４２は、メインアンテナ４０とＲＦ回路部４１とを備え、所定の通信先と通信を行う。通信部４２が通信を行う通信先としては、携帯電話機１と電話やメールの送受信を行う外部の端末装置や、携帯電話機１がインターネットの接続を行う外部のＷｅｂサーバ等の外部装置が挙げられる。
【００２３】
メインアンテナ４０は、所定の使用周波数帯で外部装置と通信を行う。
ＲＦ回路部４１は、メインアンテナ４０によって受信した信号を復調処理し、処理後の信号を制御部４９に供給する。また、ＲＦ回路部４１は、制御部４９から供給された信号を変調処理し、メインアンテナ４０を介して外部装置（基地局）に送信する。
【００２４】
表示処理部４３は、制御部４９の制御に従って、所定の画像処理を行い、処理後の画像データをドライバＩＣ（図示せず）に出力する。ドライバＩＣは、表示処理部４３から供給された画像データをフレームバッファに蓄え、所定のタイミングで第１表示部２１又は第２表示部２２に出力する。
【００２５】
第１表示部２１及び第２表示部２２は、ＬＣＤ（Ｌｉｑｕｉｄ  Ｃｒｙｓｔａｌ  Ｄｉｓｐｌａｙ）や有機ＥＬ（Ｅｌｅｃｔｏｒｏ  Ｌｕｍｉｎｅｓｃｅｎｃｅ）によって構成され、各種情報に基づく画像や動画等を表示する。
【００２６】
第１表示部２１は、いわゆるメインディスプレイであり、主として各種情報に基づく画像や動画等を表示する。第１表示部２１は、二次電池としてのバッテリ（図示せず）に充電された電力で駆動する。
【００２７】
第２表示部２２は、いわゆるサブディスプレイであり、第１表示部２１の補助的な情報が表示される。また、第２表示部２２は、後述する発電部２４により発電された電力で駆動する。
スピーカ２３は、制御部４９から供給された信号を外部に出力する。
【００２８】
発電部２４は、携帯電話機１の電源が遮断された状態において、操作部１１の各キーの押下に応じて発電する。例えば、発電部２４は、操作部１１の各キーそれぞれに対応する位置に磁石及びコイルを有する。そして、発電部２４は、操作部１１の各キーの押下に基づく誘導起電力を用いて電力を発生させる。具体的には、発電部２４は、キーが押下されると、磁石及びコイルが近接することにより誘導起電力が発生する。
【００２９】
蓄電部２５は、例えば、コンデンサで構成され、発電部２４によって発電された電力を蓄積する。
【００３０】
一時記憶部２６は、例えば、バッファメモリで構成される。一時記憶部２６は、発電部２４により発電され、蓄電部２５に蓄積された電力で駆動し、操作部１１の各キーの押下に基づく文字データを一時的に記憶する。
【００３１】
タイマ２７は、蓄電部２５に蓄積された電力で駆動し、携帯電話機１の電源が遮断された状態において、操作部１１の各キーの押下を契機として時間を計測する。
例えば、携帯電話機１の電源が遮断された状態において、操作部１１の各キーの押下が行われると、発電部２４によって電力が発電される。発電された電力は、蓄電部２５に蓄積（充電）される。そして、タイマ２７は、操作部１１において最先にキーの押下が行われたときを基準（時間０）として、時間の計測を開始する。
【００３２】
記憶部４４は、例えば、不揮発性メモリで構成される。記憶部４４は、ワーキングメモリを含み、制御部４９による演算処理に利用される。また、記憶部４４には、オペレーティングシステム（ＯＳ）、各種データファイル、複数のアプリケーションプログラムや、各種情報等が記憶されている。また、記憶部４４は、着脱可能な外部メモリを兼ねていてもよい。
【００３３】
具体的には、記憶部４４は、オペレーティングシステム４５を記憶する。
オペレーティングシステム４５は、待機用オペレーティングシステム４５１と、文字入力用オペレーティングシステム４５２とを有する。
【００３４】
待機用オペレーティングシステム４５１は、電源が遮断された状態からの文字の入力及び表示に特化したオペレーティングシステムであり、第２表示制御部４９３の制御に従って動作する。待機用オペレーティングシステム４５１は、例えば、電源が遮断された状態でも第２表示制御部４９３が間欠的に動作することで、起動状態を維持している。
【００３５】
文字入力用オペレーティングシステム４５２は、文字入力に特化したオペレーティングシステムであり、第１表示制御部４９２の制御に従って動作する。また、文字入力用オペレーティングシステム４５２は、オペレーティングシステム４５における通信機能が制限されたものである。
【００３６】
制御部４９は、携帯電話機１の全体を制御する。例えば、制御部４９は、ＲＦ回路部４１から供給された信号に対して所定の音声処理（例えば、アナログ変換）を行い、処理後の信号をスピーカ２３に出力する。また、制御部４９は、マイク１２から入力された信号を処理（例えば、デジタル変換）し、処理後の信号をＲＦ回路部４１に出力する。
【００３７】
また、制御部４９は、電源制御部４９１と、第１表示制御部４９２と、第２表示制御部４９３と、主制御部４９４とを備える。
【００３８】
次に、図３及び図４を参照しながら本実施形態の携帯電話機１において、電源が遮断された状態から文字の入力を行う処理について説明する。
図３は、第１表示部２１に表示されるデータの遷移を示す図である。図４は、第１表示部２１及び第２表示部２２に表示されるデータの遷移を示す図である。
【００３９】
まず、発電部２４は、電源が遮断された状態において、操作部１１において数字「１」に対応するキーが２回押下され、数字「２」に対応するキーが１回押下されると（図３（ａ）参照）、これらのキーの押下に応じて、電力を発電する。そして、発電された電力は、蓄電部２５に蓄積される。
【００４０】
次に、第２表示制御部４９３は、操作部１１における数字「１」に対応するキーが２回押下され、数字「２」に対応するキーが１回押下されたことを示す文字データを、待機用オペレーティングシステム４５１によって一時記憶部２６に記憶する。
ここで、文字データは、操作部１１の各キーの押下に基づくデータであり、例えば、押下されたキーが数字「１」及び文字「あ」に対応している場合には、数字「１」及び文字「あ」が入力されたことを示すデータが記憶される。
【００４１】
電源制御部４９１は、タイマ２７により計測された所定時間（例えば、３秒間）内に所定回数（例えば、３回）以上のキーの押下が行われ、かつ、一時記憶部２６に所定量以上の文字データ（例えば、２文字分以上に相当する量の文字データ）が記憶された場合、電源を投入する。
【００４２】
第１表示制御部４９２は、電源制御部４９１により電源が投入されると、文字入力に関する文字入力用オペレーティングシステム４５２を起動する。そして、第１表示制御部４９２は、一時記憶部２６に記憶されている文字データに基づいて、起動した文字入力用オペレーティングシステム４５２により、文字列「いか」を第１表示部２１の領域２１ａに表示させると共に、数字列「１１２」を第１表示部２１の領域２１ｂに表示させる（図３（ｂ）参照）。
【００４３】
また、第２表示制御部４９３は、電源が遮断された状態において（図４（ａ）参照）、操作部１１における数字「１」に対応するキーが１回押下されると、一時記憶部２６に記憶されている文字データに基づいて、第２表示部２２に文字「あ」及び数字「１」を表示させる（図４（ｂ）参照）。
【００４４】
第２表示部２２に文字「あ」及び数字「１」が表示されている状態から、操作部１１における数字「１」に対応するキーが１回押下されると、第２表示制御部４９３は、一時記憶部２６に記憶されている文字データに基づいて、第２表示部２２に文字「い」及び数字列「１１」を表示させる（図４（ｃ）参照）。
【００４５】
更に、第２表示部２２に文字「い」及び数字列「１１」が表示されている状態から、操作部１１における数字「２」に対応するキーが１回押下されると、タイマ２７により計測された所定時間（例えば、３秒間）内に所定回数（例えば、３回）以上のキーの押下が行われ、かつ、一時記憶部２６に所定量以上の文字データ（例えば、２文字分以上に相当する量の文字データ）が記憶された場合、電源を投入する。
【００４６】
電源制御部４９１により電源が投入されると、第１表示制御部４９２は、文字入力に関する文字入力用オペレーティングシステム４５２を起動する。そして、第１表示制御部４９２は、一時記憶部２６に記憶されている文字データに基づいて、起動した文字入力用オペレーティングシステム４５２により、文字列「いか」を第１表示部２１の領域２１ａに表示させると共に、数字列「１１２」を第１表示部２１の領域２１ｂに表示させる（図３（ｂ）及び図４（ｄ）参照）。
【００４７】
この際に、第２表示制御部４９３は、電源制御部４９１により電源が投入されると、第２表示部２２における文字を表示する処理を停止する。これにより、第２表示部２２に表示されていた文字列「いか」及び数字列「１１２」が第１表示部２１に表示されることとなる。
【００４８】
文字列が第１表示部２１の領域２１ａに表示され、数字列が第１表示部２１の領域２１ｂに表示された状態から操作部１１の決定操作キー１５が押下されると、第１表示制御部４９２は、文字列「いか」の入力が確定され、文字列「いか」と共に、第１表示部２１の右下の領域にメニューを選択するためのソフトウェアキー３２を表示させる（図３（ｃ）参照）。
【００４９】
そして、操作部１１に対する操作によりソフトウェアキー３２が選択されると、第１表示制御部４９２は、携帯電話機１において実行可能な複数の機能が列挙されたソフトウェアキー３３を表示させる（図３（ｄ）参照）。ソフトウェアキー３３のうち、ある機能に係るソフトウェアキー（例えば、図３（ｄ）中の「スケジュール登録」）が操作部１１のキーの押下により選択されると、主制御部４９４は、オペレーティングシステム４５を起動し（図３（ｅ）参照）する。そして、主制御部４９４は、オペレーティングシステム４５上で動作するアプリケーションプログラムにより、スケジュール登録機能を実行する（図３（ｆ）参照）。
【００５０】
図５は、本実施形態における電源が遮断された状態からの文字の入力処理について示すフローチャートである。なお、待機用オペレーティングシステム４５１は電源が遮断された状態で起動しているものとする。
【００５１】
ステップＳ１において、第２表示制御部４９３は、電源が遮断された状態において（図４（ａ）参照）、操作部１１のキーの押下を待機用オペレーティングシステム４５１により検出する。
ステップＳ２において、発電部２４は、検出されたキーの押下に応じて、電力を発電し、発電された電力は、蓄電部２５に蓄積される。
【００５２】
ステップＳ３において、第２表示制御部４９３は、キーの押下に基づく文字データを待機用オペレーティングシステム４５１により一時記憶部２６に記憶させる。更に、タイマ２７は、操作部１１において最先にキーの押下が行われたときを基準（時間０）として、時間の計測を開始する。
【００５３】
ステップＳ４において、第２表示制御部４９３は、第２表示部２２を点灯させ、一時記憶部２６に記憶されている文字データに基づいて、待機用オペレーティングシステム４５１により第２表示部２２に文字を表示させる（図４（ａ）及び図４（ｂ）参照））。
【００５４】
ステップＳ５において、電源制御部４９１は、タイマ２７により計測された所定時間（例えば、３秒間）内に所定回数（例えば、３回）以上のキーの押下が行われ、かつ、一時記憶部２６に所定量以上の文字データ（例えば、２文字分以上に相当する量の文字データ）が記憶されているか否かを判定する。所定回数以上のキーの押下が行われ、かつ、所定量以上の文字データが記憶されている場合（ＹＥＳ）には、ステップＳ６へ移る。所定回数未満のキーの押下が行われた、又は、所定量未満の文字データが記憶されている場合（ＮＯ）には、ステップＳ１へ戻る。
【００５５】
ステップＳ６において、電源制御部４９１は、電源を投入する。
ステップＳ７において、第２表示制御部４９３は、第２表示部２２における文字を表示する処理を停止する。
【００５６】
ステップＳ８において、第１表示制御部４９２は、記憶部４４に文字入力用オペレーティングシステム４５２が記憶されているか否かを判定する。文字入力用オペレーティングシステム４５２が記憶されている場合（ＹＥＳ）には、ステップＳ１１へ移る。文字入力用オペレーティングシステム４５２が記憶されていない場合（ＮＯ）には、ステップＳ９へ移る。
【００５７】
ステップＳ９において、主制御部４９４は、オペレーティングシステム４５を起動し、このオペレーティングシステム４５の動作に関連するデータを記憶部４４に展開する。
ステップＳ１０において、主制御部４９４は、オペレーティングシステム４５における通信機能に関する処理を制限し、ステップＳ１２へ移る。通信機能に関する処理としては、例えば、ＳＩＭカード（Ｓｕｂｓｃｒｉｂｅｒ  Ｉｄｅｎｔｉｔｙ  Ｍｏｄｕｌｅ  Ｃａｒｄ）の存在を確認する処理、電子メールの受信を確認する処理、電波状態を確認する処理等が挙げられる。
【００５８】
ステップＳ１１において、第１表示制御部４９２は、文字入力に関する文字入力用オペレーティングシステム４５２を起動する。
ステップＳ１２において、第１表示制御部４９２は、一時記憶部２６に記憶されている文字データに基づいて、起動した文字入力用オペレーティングシステム４５２により、文字列を第１表示部２１の領域２１ａに表示させると共に、数字列を第１表示部２１の領域２１ｂに表示させる（図３（ｂ）参照）。
【００５９】
ステップＳ１３において、第１表示制御部４９２は、操作部１１の決定操作キー１５が操作されたか、つまり、入力された文字又は数字列が確定されたか否かを判定する。文字又は数字列が確定された場合（ＹＥＳ）には、ステップＳ１３へ移る。文字又は数字列が確定されない場合（ＮＯ）には、ステップＳ１２の処理を繰り返す。
ステップＳ１４において、第１表示制御部４９２は、文字列又は数字列と共に、第１表示部２１の右下の領域にメニューを選択するためのソフトウェアキー３２を表示させる（図３（ｃ）参照）。
【００６０】
ステップＳ１５において、第１表示制御部４９２は、キーの押下によりソフトウェアキー３２が選択されたか否かを判定する。ソフトウェアキー３２が選択された場合（ＹＥＳ）には、ステップＳ１６へ移る。ソフトウェアキー３２が選択されない場合（ＮＯ）には、ステップＳ１５の処理を繰り返す。
【００６１】
ステップＳ１６において、第１表示制御部４９２は、携帯電話機１において実行可能な複数の機能が列挙されたソフトウェアキー３３を表示させる（図３（ｄ）参照）。
ステップＳ１７において、第１表示制御部４９２は、ソフトウェアキー３３のうち、いずれか一つのソフトウェアキーがキーの押下により選択されたか否かを判定する。いずれか一つのソフウェアトキーが選択された場合（ＹＥＳ）には、ステップＳ１８へ移る。ソフトウェアキーが選択されない場合（ＮＯ）には、ステップＳ１７の処理を繰り返す。
【００６２】
ステップＳ１８において、主制御部４９４は、ステップＳ１７において選択されたソフトウェアキー３３に対応する機能を実行させるために、オペレーティングシステム４５の起動が必要であるか否かを判定する。オペレーティングシステム４５の起動が必要である場合（ＹＥＳ）には、ステップＳ２０へ移る。オペレーティングシステム４５の起動が必要でない場合（ＮＯ）には、ステップＳ１９へ移る。
【００６３】
ステップＳ１９において、主制御部４９４は、一時記憶部２６に記憶されている文字データを記憶部４４に記憶させ、ステップＳ２２へ移る。
ステップＳ２０において、主制御部４９４は、一時記憶部２６に記憶されている文字データを記憶部４４におけるバッファ領域に一時的に記憶させる。
【００６４】
ステップＳ２１において、主制御部４９４は、文字入力用オペレーティングシステム４５２のシャットダウン処理を行う。
ステップＳ２２において、主制御部４９４は、ステップＳ１７において選択されたソフトウェアキー３３に対応する機能を実行させるために、当該機能に対応するアプリケーションプログラムを起動する。
【００６５】
ステップＳ２３において、主制御部４９４は、記憶部４４又は記憶部４４におけるバッファ領域に一時的に記憶させている文字データを読み出し、読み出した文字データをステップＳ２２において起動したアプリケーションプログラムに適用する。
【００６６】
本実施形態の携帯電話機１によれば、以下の効果を奏することができる。
本実施形態において、電源制御部４９１は、タイマ２７により計測された所定時間内に一時記憶部２６に所定量以上の文字データが記憶された場合、電源を投入する。そして、第１表示制御部４９２は、電源制御部４９１により電源が投入されると、一時記憶部２６に記憶されている文字データに基づいて、第１表示部２１に文字を表示させる。
【００６７】
これにより、携帯電話機１は、電源が遮断された状態から簡易な操作で文字の入力を行うことができる、つまり、携帯電話機１は、電源が遮断された状態から文字の入力を迅速に行うことができる。
【００６８】
また、本実施形態において、タイマ２７は、携帯電話機１の電源が遮断された状態において、キーの押下を契機として時間を計測する。そして、電源制御部４９１は、タイマ２７により計測された所定時間内に所定回数以上のキーの押下が行われ、かつ、一時記憶部２６に所定量以上の文字データが記憶された場合、電源を投入する。
【００６９】
これにより、携帯電話機１は、電源が遮断された状態からキーの押下を契機として計測された時間を用いて、電源の投入を行う。したがって、携帯電話機１は、電源が遮断された状態から文字の入力に関する操作が行われたことを適切に認識することができる。
【００７０】
また、本実施形態において、第１表示制御部４９２は、電源制御部４９１により電源が投入されると、文字入力に関する文字入力用オペレーティングシステム４５２を起動する。そして、第１表示制御部４９２は、一時記憶部２６に記憶されている文字データに基づいて、起動した文字入力用オペレーティングシステム４５２により、第１表示部２１に文字を表示させる。
【００７１】
これにより、携帯電話機１は、文字の入力に関する文字入力用オペレーティングシステム４５２を用いて、この文字入力用オペレーティングシステム４５２における文字の入力を迅速に行うことができる。
【００７２】
また、本実施形態において、第２表示制御部４９３は、電源が遮断された状態において、一時記憶部２６に記憶されている文字データに基づいて、第２表示部２２に文字を表示させる。これにより、携帯電話機１は、発電部２４により発電された電力で駆動する第２表示部２２に文字を表示させることにより、文字の入力に関するオペレーティングシステムを起動せずに文字の入力を確認することができる。
【００７３】
また、本実施形態において、第１表示制御部４９２は、文字入力用オペレーティングシステム４５２により、文字を第１表示部２１に表示させる。更に、第２表示制御部４９３は、電源制御部４９１により電源が投入されると、第２表示部２２における文字を表示する処理を停止する。
【００７４】
これにより、携帯電話機１は、第２表示部２２に表示されていた文字列「いか」及び数字列「１１２」が第１表示部２１に表示されることとなる。したがって、携帯電話機１は、入力した文字が第２表示部２２から第１表示部２１に切り替わるため、文字の視認性が向上し、ユーザは文字の入力に係る機能を適切に行うことができる。
【００７５】
また、本実施形態において、主制御部４９４は、第１表示制御部４９２により第１表示部２１に表示された文字に対応する機能がキーの押下により選択されると、選択された機能を、オペレーティングシステム４５を起動して実行する。
【００７６】
これにより、携帯電話機１は、文字入力用オペレーティングシステム４５２により第１表示部２１に文字を表示してから、オペレーティングシステム４５で表示された文字に対応する機能を実行する。つまり、携帯電話機１は、発電部２４により発電された電力により駆動する文字入力用オペレーティングシステム４５２を用いて、第１表示部２１に文字を表示するため、より大きな電力を必要とするオペレーティングシステム４５を用いることなく、第１表示部２１に文字を表示することができる。したがって、携帯電話機１は、例えば、緊急時にバッテリの電池残量が少ない場合であっても、文字の入力が可能となる。
【００７７】
また、本実施形態において、文字入力用オペレーティングシステム４５２及びオペレーティングシステム４５は、オペレーティングシステムであり、文字入力用オペレーティングシステム４５２は、オペレーティングシステム４５に含まれると共に、オペレーティングシステム４５における通信機能が制限されている。これにより、文字入力用オペレーティングシステム４５２は、オペレーティングシステム４５に比して起動に要する時間を短縮できるため、携帯電話機１は、文字の入力に係る機能を実行するために要する時間を短縮することができる。
【００７８】
また、本実施形態において、発電部２４は、キーの押下に基づく誘導起電力を用いて電力を発生させる。これにより、携帯電話機１は、キーの押下に基づく発電を好適に行うことができる。
【００７９】
以上、本発明の実施形態について説明したが、本発明は上述した実施形態に制限されるものではなく、適宜変更が可能である。例えば、上述した実施形態において、携帯電話機１は、電源が遮断した状態からの文字の入力及び表示に特化した待機用オペレーティングシステム４５１と、文字入力に特化した文字入力用オペレーティングシステム４５２とを用いたが、本発明はこれに限らない。例えば、携帯電話機１は、待機用オペレーティングシステム４５１及び文字入力用オペレーティングシステム４５２と同等の機能を有するアプリケーションプログラムを用いてもよい。
【００８０】
また、上述した実施形態において、携帯電子機器としての携帯電話機１について説明したが、これに限定されず、デジタルカメラ、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、パソコン、ノートパソコン、携帯ゲーム装置等であってもよい。
【符号の説明】
【００８１】
１  携帯電話機（携帯電子機器）
１１  操作部
２１  第１表示部
２４  発電部
２６  一時記憶部
４９１  電源制御部
４９２  第１表示制御部
【図１】
2011211258.tif 000003
【図２】
2011211258.tif 000004
【図３】
2011211258.tif 000005
【図４】
2011211258.tif 000006
【図５】
2011211258.tif 000007